(57)【要約】【課題】止着テープを外れにくくしながら着用感を向上させる。【解決手段】前身頃１Ａと股下部と後身頃とが長手方向にこの順で設けられるとともに、吸収体を含む複数のシート材が積層された吸収性物品１であって、前身頃１Ａの幅方向中間部に設けられ、複数のシート材の最外面に位置するフロントパッチ３と、後身頃の幅方向両端部のそれぞれに外方へ延設され、フロントパッチ３に止め付けられる止め付け部２０を有する止着テープ２と、を備える。フロントパッチ３上には、その幅方向両側に、止着テープ２の止め付け部２０を止め付ける止着領域３０が設けられる。止着領域３０のそれぞれには、複数のシート材の全てが積層方向において接着された接着部３１と、複数のシート材の少なくとも一部が積層方向において接着されていない非接着部３２とが設けられる。【選択図】図３
2018000474.tif 000002
【特許請求の範囲】
【請求項１】
前身頃と股下部と後身頃とが長手方向にこの順で設けられるとともに、吸収体を含む複数のシート材が積層された吸収性物品であって、
前記前身頃の幅方向中間部に設けられ、前記複数のシート材の最外面に位置するフロントパッチと、
前記後身頃の幅方向両端部のそれぞれに外方へ延設され、前記フロントパッチに止め付けられる止め付け部を有する止着テープと、を備え、
前記フロントパッチ上には、その幅方向両側に、前記止着テープの前記止め付け部を止め付ける止着領域が設けられ、
前記止着領域のそれぞれには、前記複数のシート材の全てが積層方向において接着された接着部と、前記複数のシート材の少なくとも一部が前記積層方向において接着されていない非接着部とが設けられた
ことを特徴とする、吸収性物品。
【請求項２】
前記吸収体を非肌面側から被覆する液不透過性のバックシートと、
前記バックシートの非肌面側に接着されたカバーシートと、を備え、
前記フロントパッチは、前記カバーシートに対し全面接着され、
前記バックシート及び前記カバーシートは、一部分を除いて互いに接着され、接着されていない前記一部分が前記非接着部として設けられた
ことを特徴とする、請求項１記載の吸収性物品。
【請求項３】
前記非接着部は、前記フロントパッチの長手方向全体に亘って延設された
ことを特徴とする、請求項１又は２記載の吸収性物品。
【請求項４】
前記止着領域は、幅方向の中間部に配置された前記非接着部と、前記非接着部をその幅方向両側から挟むように配置された二つの前記接着部とを有する
ことを特徴とする請求項１〜３のいずれか１項に記載の吸収性物品。
【発明の詳細な説明】
【技術分野】
【０００１】
本発明は、後身頃に設けられた止着テープを前身頃に止め付けることで着用者の体に装着される吸収性物品に関する。
【背景技術】
【０００２】
従来、着用者の背部に位置する後身頃に止着テープが設けられ、着用者の腹部に位置する前身頃にフロントパッチが設けられた吸収性物品（例えば、テープ型使い捨ておむつ）が知られている。止着テープ及びフロントパッチはファスニング機構を構成し、後身頃の止着テープが前身頃のフロントパッチに止め付けられることで、吸収性物品が着用者の体に装着される。ファスニング機構としては、例えば、フック材（雄部材）及びループ材（雌部材）の機械的結合によって固定する面状ファスナーや、粘着テープ及びプラスチックフィルムによって固定する構成が挙げられる（特許文献１参照）。
【先行技術文献】
【特許文献】
【０００３】
【特許文献１】特開２０１３−４６７３１号公報
【発明の概要】
【発明が解決しようとする課題】
【０００４】
止着テープ及びフロントパッチは、吸収性物品を着用者の体に固定するための機能を持つ部分であるため、着用者が動いても（姿勢が変化しても）外れにくい構成であることが望ましい。一方で、止着テープ及びフロントパッチの固定力が強すぎる場合には、着用者の動き（姿勢の変化）に伴って止着テープが引っ張られ、着用者に違和感を与えかねない。
【０００５】
本件は、このような課題に鑑み案出されたもので、止着テープを外れにくくしながら着用感を向上させた、吸収性物品を提供することを目的の一つとする。なお、この目的に限らず、後述する発明を実施するための形態に示す各構成により導かれる作用効果であって、従来の技術によっては得られない作用効果を奏することも本件の他の目的である。
【課題を解決するための手段】
【０００６】
（１）ここで開示する吸収性物品は、前身頃と股下部と後身頃とが長手方向にこの順で設けられるとともに、吸収体を含む複数のシート材が積層された吸収性物品であって、前記前身頃の幅方向中間部に設けられ、前記複数のシート材の最外面に位置するフロントパッチと、前記後身頃の幅方向両端部のそれぞれに外方へ延設され、前記フロントパッチに止め付けられる止め付け部を有する止着テープと、を備える。前記フロントパッチ上には、その幅方向両側に、前記止着テープの前記止め付け部を止め付ける止着領域が設けられる。また、前記止着領域のそれぞれには、前記複数のシート材の全てが積層方向において接着された接着部と、前記複数のシート材の少なくとも一部が前記積層方向において接着されていない非接着部とが設けられる。
【０００７】
（２）前記吸収性物品は、前記吸収体を非肌面側から被覆する液不透過性のバックシートと、前記バックシートの非肌面側に接着されたカバーシートと、を備えることが好ましい。この場合、前記フロントパッチは、前記カバーシートに対し全面接着され、前記バックシート及び前記カバーシートは、一部分を除いて互いに接着され、接着されていない前記一部分が前記非接着部として設けられることが好ましい。
【０００８】
（３）前記非接着部は、前記フロントパッチの長手方向全体に亘って延設されることが好ましい。
（４）前記止着領域は、幅方向の中間部に配置された前記非接着部と、前記非接着部をその幅方向両側から挟むように配置された二つの前記接着部とを有することが好ましい。
【発明の効果】
【０００９】
止着領域の非接着部では、複数のシート材が互いに変位可能となることから、止着テープの止め付け部がフロントパッチの止着領域に止め付けられた状態で、止め付け部とシート材との間に厚み方向における遊びを形成することができる。一方で、止着領域には接着部も設けられることから、この遊びが大きくなりすぎることを防ぐことができ、止め付け部の幅方向位置が大きくずれることがない。
【００１０】
つまり、開示の吸収性物品によれば、接着部によって止め付け部の幅方向位置を規制しつつ、非接着部による遊びによって、フロントパッチに止め付けられた止着テープの止め付け部が着用者の動き（姿勢の変化）に追従しやすくすることができ、着用者の動きに伴う止着テープに対する引張力を小さくすることができる。したがって、止着テープを外れにくくしながら着用感を向上させることができる。
【図面の簡単な説明】
【００１１】
【図１】実施形態に係る吸収性物品を展開して示す概略平面図である。
【図２】図１の吸収性物品を展開して示す分解斜視図である。
【図３】（ａ）は図１の吸収性物品の前身頃を拡大した平面図であり、（ｂ）はフロントパッチとカバーシートとバックシートとの関係を示す模式的な断面図である。
【発明を実施するための形態】
【００１２】
図面を参照して、実施形態としての吸収性物品について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。本実施形態では、吸収性物品として、テープ型紙おむつ（いわゆる「テープ型使い捨ておむつ」）を例示する。
【００１３】
［１．構成］
［１−１．全体構成］
図１は、本実施形態の紙おむつ１を展開して外側から見た概略平面図である。図１に示すように、本実施形態の紙おむつ１には、着用者の腹部に接する前身頃１Ａと、着用者の股下に接する股下部１Ｂと、着用者の背部に接する後身頃１Ｃとが長手方向にこの順で設けられる。紙おむつ１は、吸収体を含む複数のシート材が積層されて構成されており、後身頃１Ｃに設けられた止着テープ２が、前身頃１Ａに設けられたフロントパッチ３に止め付けられることで着用者に装着される。
【００１４】
以下の説明では、シートが積層された方向（積層方向）を厚み方向と呼び、長手方向及び厚み方向のいずれにも直交する方向（短手方向）を幅方向と呼ぶ。なお、紙おむつ１において、着用者の肌に向かう側（装着された状態で内側）を肌面側と呼び、肌面側の反対側（装着された状態で外側）を非肌面側と呼ぶ。図１に示すように、紙おむつ１は、幅方向の中心線Ｃに対し面対称形状に形成されている。
【００１５】
図２は、本実施形態の紙おむつ１を構成する複数のシート材を分解して示す斜視図である。図２に示すように、紙おむつ１は、肌面側（内側）から順に、トップシート１１及びサイドシート１５，コアラップ１２（吸収体），バックシート１３，カバーシート１４，フロントパッチ３が重ね合わされて互いに接着される。トップシート１１は、着用者の肌に直接的に触れる液透過性のシート状の部材であり、コアラップ１２の肌面側を被覆する。矩形状のトップシート１１の両側縁には、サイドシート１５がそれぞれ配設される。トップシート１１及び二つのサイドシート１５が組み合わされたときの外形状は、カバーシート１４の外形状と同一とされる。
【００１６】
コアラップ１２は、尿などの液体を吸収して保持する吸収体本体をラップシートで被覆したマット状の部材である。吸収体本体は、複数のシート状あるいはマット状の部材からなる吸液性の部材であり、例えば、粉砕あるいは解繊されたパルプ（いわゆる「フラッフパルプ」）に高吸水性樹脂（いわゆるＳＡＰ〈Superabsorbent polymer〉，高吸水性高分子あるいは高吸水性ポリマーとも称される）が混合されたものである。なお、コアラップ１２には、図２に示すようなパターンが形成されていてもよい。
【００１７】
バックシート１３は、コアラップ１２を非肌面側から被覆する液不透過性のシート状の部材であり、尿などの液体が紙おむつ１の外部に漏洩してしまうことを防止する機能を持つ。カバーシート１４は、バックシート１３の非肌面側に接着されるシート状の部材であり、バックシート１３を補強する機能と紙おむつ１の手触りを良くするという機能を併せ持つ。カバーシート１４には、フロントパッチ３と止着テープ２とが取り付けられる。なお、カバーシート１４には、図２に示すような糸ゴムが接合されていてもよい。
【００１８】
フロントパッチ３は、止着テープ２の止め付け部２０を前身頃１Ａに止め付けて維持するためのシート状の部材であり、前身頃１Ａの幅方向中間部に広範囲に亘って設けられる。本実施形態のフロントパッチ３は、複数のシート材の最外面に位置し、カバーシート１４に対して全面が接着されている。なお、紙おむつ１の構成はこれに限られず、例えばカバーシート１４がインナカバーシートとアウターカバーシートとを有する多層構造であってもよい。
【００１９】
図１及び図２に示すように、止着テープ２は、フロントパッチ３とともにファスニング機構を構成するものであり、後身頃１Ｃの幅方向両端部のそれぞれに設けられる。本実施形態では、後身頃１Ｃの幅方向両側に止着テープ２が二つずつ設けられているが、少なくとも幅方向両側に一つずつ設けられていればよい。止着テープ２は、根元部分がカバーシート１４とサイドシート１５とに挟まれた状態で接着され、後身頃１Ｃの両縁部のそれぞれから幅方向外側へ延設される。止着テープ２の先端部近傍には、フロントパッチ３に止め付けられる止め付け部２０が設けられる。止着テープ２の延設方向長さ（両縁部からの突出量）は、止め付け部２０がフロントパッチ３の所定領域（後述する止着領域３０）に収まるように、紙おむつ１の大きさに応じて適宜設定される。なお、止着テープ２の形状や止め付け部２０の位置は、図示したものに限られない。
【００２０】
本実施形態では、止着テープ２とフロントパッチ３とを固定するファスニング機構として、フック材（雄部材）とループ材（雌部材）との機械的結合により固定する面状ファスナーが用いられる。面状ファスナーは、表面に多数の突起（例えば鉤状やきのこ状など）が形成されたフック材と、表面にループ状の繊維が配置されたループ材との組み合わせにより構成される。すなわち、止め付け部２０及びフロントパッチ３のうちのいずれか一方にはフック材が設けられ、残りの他方にはループ材が設けられる。面状ファスナーを用いることで、フック材及びループ材（止め付け部２０及びフロントパッチ３）を剥離可能な状態としつつ強固に固着させることができる。さらに、繰り返しの使用が可能となる。なお、止め付け部２０が、例えば粘着剤や粘着テープで構成されていてもよい。この場合、フロントパッチ３は、例えば表面が平滑なプラスチックフィルム等で形成されていればよい。
【００２１】
［１−２．要部構成］
図３（ａ）は図１に示す紙おむつ１の前身頃１Ａを拡大した平面図であり、図３（ｂ）はフロントパッチ３とカバーシート１４とバックシート１３との関係を示す模式的な断面図である。なお、図３（ａ）には、フロントパッチ３に止め付けられる止着テープ２を、図中左側にのみ二点鎖線で示す。また、図３（ｂ）では便宜上、断面を示すハッチングは省略し、厚み方向寸法を拡大して示す。本実施形態のフロントパッチ３は略矩形状に形成されており、股下部１Ｂの幅方向寸法と同等の幅方向寸法と、二つの止着テープ２の存在する長手方向の範囲よりも大きな長手方向寸法とを有する。
【００２２】
図３（ａ）に示すように、フロントパッチ３上には、止着テープ２の止め付け部２０を止め付ける止着領域３０がその幅方向両側に設けられる。本実施形態では、幅方向における中心線Ｃからの距離が、第一所定長さＬ1以上、かつ、第二所定長さＬ2以下の範囲が止着領域３０とされている。各所定長さＬ1，Ｌ2は、止着テープ２の延設方向長さや止め付け部２０の位置，紙おむつ１の大きさ，フロントパッチ３の大きさ等に応じて適宜設定される。なお、図３（ａ）では便宜上、止着領域３０を実線で示しているが、実際の紙おむつ１では、止着領域３０と止着領域３０以外の領域との間に境界線は存在しない。
【００２３】
各止着領域３０には、複数のシート材の全てが厚み方向において接着された接着部３１と、複数のシート材の少なくとも一部が厚み方向において接着されていない非接着部３２とが設けられる。なお、図３（ａ）では便宜上、非接着部３２に網線を付して表しているが、実際の紙おむつ１では、非接着部３２はシート材の間に形成されるシート材同士が離間可能な部分として設けられる。
【００２４】
本実施形態の非接着部３２は、その幅方向位置が止着領域３０の幅方向の略中央とされる。すなわち、各止着領域３０は、幅方向中間部（本実施形態では略中央）に配置された非接着部３２と、非接着部３２をその幅方向両側から挟むように配置された二つの接着部３１とを有する。なお、フロントパッチ３における止着領域３０以外の領域では、複数のシート材が重ね合わされて互いに接着されていることから、二つの接着部３１は、フロントパッチ３における止着領域３０以外の領域と連続した部分となる。
【００２５】
また、本実施形態の非接着部３２は、止着テープ２の止め付け部２０が止着領域３０に止め付けられたときに、止め付け部２０の少なくとも一部が重なるような幅方向寸法Ｗに設定される。本実施形態では、非接着部３２の幅方向寸法Ｗが止め付け部２０の延設方向（幅方向）の寸法よりもやや小さく設定されているが、幅方向寸法Ｗが止め付け部２０の延設方向の寸法よりも大きく設定されていてもよい。幅方向寸法Ｗは、例えば１５ｍｍ以上に設定される。非接着部３２は、フロントパッチ３の幅方向中央部寄りに設けられることが好ましく、フロントパッチ３の幅方向の中心線Ｃから、フロントパッチ３の幅方向寸法の１／３の範囲内に設けることが好ましい。また、非接着部３２は、コアラップ１２と厚み方向に重なる位置に設けることが好ましい。
【００２６】
また、本実施形態の非接着部３２は、その長手方向寸法が、フロントパッチ３の長手方向寸法と同等に設定される。言い換えると、非接着部３２は、フロントパッチ３の長手方向全体に亘って延設される。なお、非接着部３２が、フロントパッチ３を越えて、前身頃１Ａの長手方向全体に亘って延設されていてもよい。図３（ｂ）に示すように、本実施形態の非接着部３２は、その厚み方向位置が、バックシート１３とカバーシート１４との間とされる。言い換えると、バックシート１３及びカバーシート１４は、長手方向に延びる一部分を除いて互いに接着されており、接着されていない一部分（すなわち除かれた部分）が離間可能な部分となって残ることで、非接着部３２として設けられる。
【００２７】
［２．効果］
（１）上述した紙おむつ１には、フロントパッチ３上の各止着領域３０に接着部３１と非接着部３２とが設けられる。止着領域３０の非接着部３２では、複数のシート材（本実施形態ではバックシート１３及びカバーシート１４）が互いに変位可能となることから、止着テープ２の止め付け部２０がフロントパッチ３の止着領域３０に止め付けられた状態で、止め付け部２０とシート材（本実施形態ではバックシート１３）との間に厚み方向における遊びを形成することができる。
【００２８】
一方で、止着領域３０には接着部３１も設けられることから、上記の遊びが大きくなりすぎることを防ぐことができ、止め付け部２０の幅方向位置が大きくずれることがない。つまり、接着部３１によって止め付け部２０の幅方向位置を規制しつつ、非接着部３２による遊びによって、フロントパッチ３に止め付けられた止め付け部２０を着用者の動き（姿勢の変化）に追従させやすくすることができ、着用者の動きに伴う止着テープ２に対する引張力を小さくすることができる。したがって、止着テープ２を外れにくくしながら着用感を向上させることができる。
【００２９】
（２）上述した紙おむつ１では、フロントパッチ３がカバーシート１４に対して全面接着されており、さらにバックシート１３及びカバーシート１４が一部分を除いて互いに接着され、この一部分が非接着部３２として設けられることから、止着テープ２の外れにくさを維持しつつ、最外面に位置するフロントパッチ３も剥がれにくくすることができる。
（３）また、上述した紙おむつ１では、非接着部３２がフロントパッチ３の長手方向全体に亘って延設されることから、止め付け部２０の長手方向位置にかかわらず、止め付け部２０の少なくとも一部が非接着部３２と重なるようにすることができる。これにより、止着テープ２の外れにくさを向上させることができる。
【００３０】
（４）上述した紙おむつ１では、止着領域３０が、幅方向の中間部に配置された非接着部３２と、この非接着部３２を幅方向の両側から挟むように配置された二つの接着部３１とを有することから、止め付け部２０と非接着部３２とが厚み方向において重なりやすくなる。このため、フロントパッチ３に止め付けられた止め付け部２０を着用者の動きにより追従させやすくすることができ、止着テープ２をより外れにくくすることができる。
【００３１】
［３．その他］
上述した非接着部３２の構成は一例であって、その位置や寸法は上述したものに限られない。例えば、フロントパッチ３とカバーシート１４とが、一部分を除いて接着されることで、接着されていない一部分が非接着部として設けられてもよい。あるいは、カバーシート１４が多層構造である場合には、複数のカバーシート１４が一部分を除いて接着されることで、接着されていない一部分が非接着部として設けられてもよい。
【００３２】
また、非接着部が厚み方向において複数箇所に設けられていてもよい。例えば、フロントパッチ３とカバーシート１４との間、及び、カバーシート１４とバックシート１３との間の両方に、接着されていない非接着部分が設けられていてもよい。この場合、二つの非接着部が厚み方向において完全に重なっていてもよいし、一部のみが重なっていてもよい。
【００３３】
また、非接着部の幅方向位置が止着領域３０の略中央でなくてもよく、止着領域３０内の中心線Ｃ側又は縁部側に片寄って設けられていてもよい。また、上記の止着領域３０には、中間の非接着部３２を挟んだ両側に接着部３１が設けられているが、止着領域３０内に、接着部３１と非接着部３２とが一つずつ設けられていてもよい。あるいは、接着部３１を挟んで非接着部３２が二つ設けられていてもよい。
なお、上述した紙おむつ１の具体的な構成は一例であって、上述したものに限られない。
【符号の説明】
【００３４】
１  紙おむつ（吸収性物品）
１Ａ  前身頃
１Ｂ  股下部
１Ｃ  後身頃
２  止着テープ
３  フロントパッチ
１１  トップシート
１２  コアラップ（吸収体）
１３  バックシート
１４  カバーシート
１５  サイドシート
２０  止め付け部
３０  止着領域
３１  接着部
３２  非接着部
【図１】
2018000474.tif 000003
【図２】
2018000474.tif 000004
【図３】
2018000474.tif 000005